(57)【特許請求の範囲】
【請求項１】
ユーザにより供給される複数の画像を入力するための第１の入力手段と、
画像を表示する表示手段と、
前記複数の画像中から選択された画像のみを、処理対象として受け付ける受付手段とを備えた画像受付装置であって、
ユーザが指定するサンプル画像であり、かつ、ユーザにより供給される前記複数の画像とは異なる前記サンプル画像を入力するための第２の入力手段と、
前記第１の入力手段により入力された複数の画像のうちから、前記指定されたサンプル画像に類似する画像を抽出する抽出手段と、
前記サンプル画像に施されている画像処理の種類を特定する特定手段と、
前記サンプル画像に類似しているとして抽出された前記画像に対して前記特定された画像処理を施す画像処理手段とを備え、
前記表示手段が、前記画像処理の施された画像を、前記処理対象の候補を示す画像として表示するものであることを特徴とする画像受付装置。
【請求項２】
前記表示手段が、前記抽出された画像と前記サンプル画像とを同時に前記表示画面中に表示するものであることを特徴とする請求項１記載の画像受付装置。
【請求項３】
前記表示手段が、前記画像処理の施された画像と前記サンプル画像とを同時に前記表示画面中に表示するものであることを特徴とする請求項１記載の画像受付装置。
【請求項４】
前記サンプル画像が、公衆通信回線を通して取得されたものであることを特徴とする請求項１から３のいずれか１項記載の画像受付装置。
【請求項５】
前記サンプル画像が、アートワークを用いて作成されたものであることを特徴とする請求項１から４のいずれか１項記載の画像受付装置。
【請求項６】
ユーザにより供給された複数の画像のうちから、ユーザの指定するサンプル画像であって、かつ、ユーザにより供給された前記複数の画像とは異なる前記サンプル画像に類似する画像を抽出し、
前記サンプル画像に施されている画像処理の種類を特定し、
前記サンプル画像に類似しているとして抽出された前記画像に対して前記特定された画像処理を施し、
前記画像処理の施された画像を、処理対象の候補を示す画像として表示画面に表示させ、
前記表示された処理対象の候補を示す画像のうちから選択された画像のみを、処理対象として受け付けることを特徴とする画像受付方法。
【発明の詳細な説明】
【技術分野】
【０００１】
本発明は、画像受付方法および装置に関し、詳しくは、ユーザにより供給された複数の画像のうちから選択された画像を処理対象として受け付ける画像受付方法および装置に関するものである。
【背景技術】
【０００２】
従来より、デジタルカメラで撮影した画像を受け付けて、その画像をプリント用紙に印刷して出力する画像受付装置が知られている（特許文献１参照）。このような画像受付装置としては、ユーザが用意した記録媒体に記録された画像の入力、およびその画像のプリント注文や他の記録媒体への書き込みなどの受付け操作をユーザ自身が行うものも知られている。
【特許文献１】特開２００６−１１３６３４号公報
【発明の開示】
【発明が解決しようとする課題】
【０００３】
ところで、ユーザが記録媒体等を用いて画像受付装置に入力させる画像の数は数百枚から千枚に及ぶこともあり、このような多くの画像の中から自分の好みに合ったものを選択するのには多大な時間を要し、ユーザの負担が大きくなるという問題が生じる。そのため、画像受付装置に入力される多数の画像の中から、ユーザの好みに合った画像、すなわち処理対象として受け付ける画像をより容易に選択できるようにしたいという要請がある。
【０００４】
本発明は、上記事情に鑑みてなされたものであり、処理対象として受け付ける画像をより容易に選択することができる画像受付方法および装置を提供することを目的とするものである。
【課題を解決するための手段】
【０００５】
本発明の画像受付装置は、ユーザにより供給された複数の画像を入力するための第１の入力手段と、画像を表示する表示手段と、複数の画像中から選択された画像のみを、処理対象として受け付ける受付手段とを備えた画像受付装置であって、ユーザが指定するサンプル画像を入力するための第２の入力手段と、第１の入力手段により入力された複数の画像のうちから、指定されたサンプル画像に類似する画像を抽出する抽出手段とを備え、表示手段が、抽出された画像を、処理対象の候補を示す画像として表示するものであることを特徴とするものである。
【０００６】
前記画像受付装置は、サンプル画像に施されている画像処理の種類を特定する特定手段と、画像処理の種類が特定されたサンプル画像に類似しているとして抽出された画像に対して、画像処理を施す画像処理手段とを備え、表示手段は、画像処理が施された画像を処理対象の候補を示す画像として表示するものとすることができる。
【０００７】
前記表示手段は、抽出された画像とサンプル画像とを同時に表示画面中に表示するものとすることが望ましい。
【０００８】
前記表示手段は、画像処理の施された画像とサンプル画像とを同時に表示画面中に表示するものとすることが望ましい。
【０００９】
前記サンプル画像は、公衆通信回線を通して取得されたものとすることができる。
【００１０】
前記サンプル画像は、アートワークを用いて作成されたものとすることができる。
【００１１】
なお、「処理対象の候補を示す画像として表示する」とは、処理対象の候補を示す画像のみを表示させる場合であってもよいし、処理対象の候補を示す画像とそれ以外の画像とを表示するが、処理対象の候補を示す画像を他の画像と区別できるように表示する場合であってもよい。
【００１２】
また、アートワークは、画像作成用アプリケーションによって作成される画像を意味するものである。例えば、アートワークとしては、グラフィックスソフトやCADソフト（機構CADやプリント基板CAD）によって作成される画像等が挙げられる。
【００１３】
本発明の画像受付方法は、ユーザにより供給された複数の画像のうちから、ユーザの指定するサンプル画像に類似する画像を抽出し、抽出された画像を、処理対象の候補を示す画像として表示画面に表示させ、表示された処理対象の候補を示す画像のうちから選択された画像のみを、処理対象として受け付けることを特徴とするものである。
【発明の効果】
【００１４】
本発明の画像受付方法および装置によれば、ユーザにより供給された複数の画像を入力するための第１の入力手段と、画像を表示する表示手段と、複数の画像中から選択された画像のみを、処理対象として受け付ける受付手段とを備えた画像受付装置であって、ユーザが指定するサンプル画像を入力するための第２の入力手段と、第１の入力手段により入力された複数の画像のうちから、指定されたサンプル画像に類似する画像を抽出する抽出手段とを備え、表示手段が、抽出された画像を処理対象の候補の画像として表示するようにしたので、処理対象として受け付ける画像をより容易に選択することができる。
【００１５】
すなわち、ユーザにより供給された画像のうち、ユーザの指定するサンプル画像に類似した画像のみを処理対象の候補の画像とすることができるので、ユーザの好みから外れていると考えられる画像を候補の画像から外すことができる。これにより、自分の好みに合った処理対象として受け付ける画像の選択に費やす時間を短縮することができ、ユーザの負担を軽減できる。
【００１６】
さらに、従来、処理対象として受け付ける画像を選択する際のユーザの負担が大きい場合には、例えば、画像をプリントしようとするユーザの意欲が低下してしまい画像の受け付けまでに至らなかったものを、本発明によれば、画像をプリントしようとするユーザの意欲を高めることができるので、画像の受付け件数を増大させることができ、装置の稼働率を高めることができる。
【００１７】
また、サンプル画像に施されている画像処理の種類を特定する特定手段と、画像処理の種類が特定されたサンプル画像に類似しているとして抽出された画像に対して、画像処理を施す画像処理手段とを備え、表示手段が、画像処理が施された画像を処理対象の候補を示す画像として表示するものとすれば、例えば、画像をプリントしようとするユーザの意欲を高めることができるので、画像の受付け件数をさらに増大させることができ、装置の稼働率をさらに高めることができる。
【００１８】
なお、サンプル画像を、公衆通信回線を通して取得されるものとしたり、アートワークを用いて作成されたものとすれば、サンプル画像をより容易に得ることができる。
【発明を実施するための最良の形態】
【００１９】
以下、本発明の実施の形態について、図面を用いて説明する。図１は本発明の画像受付方法の実施に用いられる画像受付装置の一例を示すブロック図、図２は候補の画像が表示された様子を示す図である。
【００２０】
図１に示す店頭画像受付端末である画像受付装置１００は、ユーザから供給された複数の画像データＤｇが入力される第１の入力部１０と、入力された画像データＤｇの表すユーザ画像Ｇを表示させる表示部２０と、表示部２０に表示されたユーザ画像Ｇのうち、処理対象とする画像データを表す画像を受け付けるための受付部３０と、ユーザの指定するサンプル画像Ｓを表す画像データＤｓが入力される第２の入力部４０と、第１の入力部１０により入力された画像データＤｇのうち、指定されたサンプル画像Ｓに類似している画像を表す画像データを抽出する抽出部５０とを備えている。表示部２０は、抽出された画像データの表す画像を、処理対象の候補となる画像データＤｋの表す画像Ｇｋとして、他の画像データの表す画像と区別できるように表示する。
【００２１】
受付部３０は、表示部２０の表示面上にこの表示面と一体的化して配されたタッチパネル３１と、このタッチパネル３１によって選択された画像を示す選択画像情報Ｊが入力され、この選択画像情報Ｊの示す画像を表す画像データを処理対象の画像データとして出力する選択データ出力部３２とを備えている。
【００２２】
ユーザの指定するサンプル画像Ｓを表す画像データＤｓが入力される第２の入力部４０は、ここではインターネットＮｔに接続されており、インターネットＮｔを通して取得した画像データの入力が可能である。また、この第２の入力部は、デジタルカメラで撮影して得られた画像データや、携帯型音楽プレーヤに記録された画像データの入力も可能である。
【００２３】
例えば、サンプル画像Ｓとしては、インターネットＮｔを通して取得したアートワークを採用してもよい。より具体的には、特定の楽曲に係るアーティストに関連した画像、あるいは文字情報（アーティスト名、楽曲名）が標記された画像等をサンプル画像として採用することもできる。
【００２４】
また、上記携帯型音楽プレーヤに収録された楽曲に係るアーティストに関連する画像が記録されていない場合には、アーティストの名前をインターネットＮｔで検索することにより、そのアーティストに関する画像を表す画像データを取得し、その画像をサンプル画像Ｓとすることもできる。
【００２５】
以下、上記画像受付装置１００を用いて実施される画像受付方法について説明する。
【００２６】
第１の入力部１０にはユーザから供給されたユーザ画像Ｇを表す画像データＤｇが入力され、第２の入力部４０にはユーザの指定するサンプル画像Ｓを表す画像データＤｓが入力される。
【００２７】
なお、上記各画像データの入力は、携帯型音楽プレーヤからの無線通信により行ったり、記録媒体を介して行ったり、通信回線を通して行ったりすることができる。
【００２８】
また、携帯型音楽プレーヤから第１の入力部１０に画像データを入力する場合には、画像データの付帯する記録日、再生日等を参照して、第１の入力部１０に入力させる画像データを絞り込むようにしてもよい。また、明るい画像を表す画像データのみが入力されるようにしてもよい。
【００２９】
また、携帯型音楽プレーヤを用いて第２の入力部４０へサンプル画像Ｓを入力してもよいが、ここでは、第２の入力部４０から入力されたサンプル画像Ｓを表す画像データＤｓは、ユーザの好みの画像をインターネットＮｔから取得したもとする。より具体的には、サンプル画像Ｓは、インターネットＮｔ上に開示されているアートワークをダウンロードしたものとする。
【００３０】
なお、サンプル画像Ｓは、３種類のサンプル画像Ｓ１、Ｓ２、Ｓ３からなるものとする。
【００３１】
サンプル画像Ｓ１は４人のミュージシャンの顔が上段に並び下段には文字が表示さたカラー画像である。
【００３２】
サンプル画像Ｓ２は、装飾されたフレーム内に１人のミュージシャンの顔が表示されたモノクロ画像である。
【００３３】
サンプル画像Ｓ３は、画像全体にミュージシャンの顔が表示され、画面全体を赤色系に変色させる画像処理である赤系変色処理が施されたものである。
【００３４】
第１の入力部１０から入力された多数のユーザ画像Ｇを表す画像データＤｇと、第２の入力部４０から入力された３つのサンプル画像Ｓを表す画像データＤｓとが入力された抽出部５０は、はじめに、ユーザ画像Ｇの中から、上記サンプル画像Ｓ１に類似している処理対象の候補となる複数の画像Ｇ１を表す画像データを抽出する。
【００３５】
さらに、抽出部５０は、ユーザ画像Ｇを表す画像データの中から、上記サンプル画像Ｓ２に類似している処理対象の候補となる複数の画像Ｇ２を表す画像データ、上記サンプル画像Ｓ３に類似している処理対象の候補となる複数の画像Ｇ３を表す画像データを抽出する。
【００３６】
表示部２０は、図２に示すように、処理対象の候補となる画像データＤｋの表す画像Ｇｋ（Ｇ１、Ｇ２，Ｇ３）を他の画像データの表す画像と区別できるように表示する。
【００３７】
表示部２０には、サンプル画像Ｓ１とそれに対応して抽出された候補の画像Ｇ１が上段に、サンプル画像Ｓ２とそれに対応して抽出された候補の画像Ｇ２が中段に、サンプル画像Ｓ３とそれに対応して抽出された候補の画像Ｇ３が下段にそれぞれグループ化され表示される。
【００３８】
ここで、サンプル画像Ｓ１に類似しているとして抽出された候補の画像Ｇ１は、「４人以上の人の顔が並んでいる」、「１つの画像が上段部分と下段部分とから構成されている」等の特徴を有するものである。
【００３９】
また、サンプル画像Ｓ２に類似しているとして抽出された候補の画像Ｇ２は、「飾り枠内に画像が表示されている」、「枠内に顔が表示されている」等の特徴を有するものである。
【００４０】
また、サンプル画像Ｓ３に類似しているとして抽出された候補の画像Ｇ３は、「画像中に１人の顔が表示されている」等の特徴を有するものである。
【００４１】
サンプル画像Ｓ（Ｓ１、Ｓ２，Ｓ３）それぞれはユーザの好みの画像なので、候補の画像Ｇｋ（Ｇ１、Ｇ２，Ｇ３）は他の画像よりもユーザにとって興味のある画像となる。
【００４２】
次に、ユーザが、表示部２０に配されたタッチパネル３１を用いて、この表示部２０に表示された候補となる画像データの表す画像Ｇ１、Ｇ２，Ｇ３の中から、処理対象とする画像ＧＧを選択する。
【００４３】
タッチパネル３１によって選択された画像を示す選択画像情報Ｊは選択データ出力部３２に入力される。
【００４４】
選択データ出力部３２は、選択画像情報Ｊの示す画像ＧＧを表す画像データＤＤを出力する。
【００４５】
これにより、画像受付装置１００は、候補の画像Ｇ１、Ｇ２，Ｇ３の中から選択された画像ＧＧを示す画像データＤＤを処理対象として受け付ける。
【００４６】
以下に、上記画像受付装置の変形例について説明する。
【００４７】
図３は画像受付方法を実施する画像受付装置の変形例を示すブロック図である。なお、上記実施の形態に係る画像受付装置と同一の構成要素については同一の参照符号を付して、その詳細な説明は省略する。図４は候補の画像データを表す画像が表示された様子を示す図である。
【００４８】
変形例の画像受付装置１００′は、ユーザの指定するサンプル画像Ｓ１、Ｓ２，Ｓ３それぞれに施されている画像処理の種類を特定する処理特定部６０と、画像処理の種類が特定されたサンプル画像Ｓ１、Ｓ２，Ｓ３それぞれに類似しているとして抽出された候補の画像Ｇ１，Ｇ２，Ｇ３を表す候補の画像データＤｋそれぞれに対して、該当する画像処理を施す画像処理部６５とを備えている。その他の構成は上記画像受付装置１００と同様である。
【００４９】
以下、上記画像受付装置１００′を用いて実施される画像受付方法について説明する。
【００５０】
上記と同様に、ユーザから供給されたユーザ画像Ｇを表す画像データＤｇが第１の入力部１０に入力され、ユーザの指定するサンプル画像Ｓを表す画像データＤｓが第２の入力部４０に入力されると、抽出部５０が、ユーザ画像Ｇのうち、サンプル画像Ｓ（Ｓ１、Ｓ２，Ｓ３）それぞれに類似している候補の画像Ｇｋ（Ｇ１，Ｇ２，Ｇ３）を表す候補の画像データＤｋを抽出する。
【００５１】
一方、処理特定部６０は、サンプル画像Ｓ１、Ｓ２，Ｓ３それぞれに施されている画像処理の種類を特定する。
【００５２】
ここでは、サンプル画像Ｓ１については、画面の上段に４人の顔を並べて表示させるとともに画面の下段には顔以外の画像を表示させる第１の画像処理が特定される。
【００５３】
また、サンプル画像Ｓ２については、飾り枠内に顔が表示されたモノクロ画像を生成する第２の画像処理が特定される。
【００５４】
また、サンプル画像Ｓ３については、画面内に顔を大きく表示させ、画面全体に赤系変色処理を施す第３の画像処理が特定される。
【００５５】
次に、画像処理部６５が、画像Ｇ１を表す候補の画像データに対して第１の画像処理を施して画像Ｇ１′を表す画像データを得、画像Ｇ２を表す候補の画像データに対して第２の画像処理を施して画像Ｇ２′を表す画像データを得、画像Ｇ３を表す候補の画像データに対して第３の画像処理を施して画像Ｇ３′を表す画像データを得る。
【００５６】
そして、図４に示すように、表示部２０により、第１の画像処理が施された候補の画像データの表す画像Ｇ１′、第２の画像処理が施された候補の画像データの表す画像Ｇ２′、第３の画像処理が施された候補の画像データの表す画像Ｇ３′を他の画像データの表す画像と区別できるように表示する。
【００５７】
ここで、表示部２０に表示された候補の画像データＤｋ′の表す画像Ｇｋ′（Ｇ１′，Ｇ２′，Ｇ３′）は、他の画像よりもユーザにとってさらに興味のある画像となる。
【００５８】
次に、ユーザが、表示部２０に配されたタッチパネル３１を用いて、この表示部２０に表示された候補となる画像中から、処理対象とする画像を選択する。
【００５９】
選択データ出力部３２は、ユーザがタッチパネル３１を用いて選択した画像ＧＧ′を表す処理対象の画像データＤＤ′を出力する。
【００６０】
なお、処理対象とする画像データＤＤ′は、画像処理部６５による画像処理が施される前の画像、すなわち、候補の画像Ｇｋ（Ｇ１、Ｇ２、Ｇ３）を表す画像データＤｋの一部であってもよいし、画像処理部６５による画像処理が施された後の画像、すなわち、候補の画像Ｇｋ′（Ｇ１′、Ｇ２′、Ｇ３′）を表す画像データＤｋ′の一部であってもよい。
【００６１】
これにより、画像受付装置１００′は、上記選択された画像データＤＤ′を処理対象として受け付ける。
【００６２】
なお、上記各画像処理は、以下のように実施するようにしてもよい。
【００６３】
第１の画像処理は、例えば、画像Ｇ１に属する１つの画像に５人以上の顔が含まれていても、４人分の顔を切り出して表示させたり、あるいは、画像Ｇ１に属する互に異なる画像から４人分の顔を切り出して合成する処理とすることができる。
【００６４】
さらに、画像処理部６５が、インターネットＮｔを介してサンプル画像Ｓに関連するアートワークを取得するものとし、第１の画像処理は、取得したアートワークに表示されている文字を、候補となる画像の画面下段に付加する処理を加えたものとてもよい。
【００６５】
また、第２の画像処理は、例えば、画像Ｇ２に属する画像から人の顔を切り出すとともにサンプル画像Ｓ２中の飾り枠を切り出して、この飾り枠内に人の顔が表示されるように合成してモノクロ表示させる処理とすることができる。
【００６６】
また、第３の画像処理は、例えば、画像Ｇ３に属する画像から人の顔を切り出して、画面内に顔を大きく表示させるとともに画面全体に赤系変色処理を施す処理とすることができる。
【００６７】
なお、例えば、第１の画像処理の施された画像Ｇ１′を表す画像データ、すなわちサンプル画像Ｓ１に類似した複数の画像を合成してなる１枚の画像を表す画像データ等を処理対象として受け付けるようにしてもよい。
【００６８】
このようにして画像受付装置で受け付けられた画像データは、例えば、各画像データの表す画像がプリント用紙に印刷されてユーザに配送される。
【００６９】
上記のように本発明によれば、ユーザの好みに合った画像を多数の画像の中からより容易に選択することができ、これにより、処理対象とする画像データの受付けをより容易に行うことができる。
【００７０】
なお、表示部は、抽出された画像データの表す画像とサンプル画像とを同時に表示画面中に表示する場合に限らず、抽出された画像データの表す画像のみを表示画面中に表示するものとしてもよい。
【００７１】
また、表示部は、画像処理が施された画像データの表す画像とサンプル画像とを同時に表示画面中に表示する場合に限らず、抽出された画像データの表す画像のみを表示画面中に表示するものとしてもよい。
【００７２】
また、サンプル画像として採用する画像を表す画像データは、公衆通信回線を通して取得した画像データに限るものではない。また、サンプル画像はアートワークを用いて作成した画像に限るものではない。
【００７３】
本発明の画像受付方法は以下のように実施するようにしてもよい。なお、以下の説明は上記記載内容と一部重複する部分もある。
【００７４】
図５に示すように、ユーザ１により供給される複数の画像がユーザ１の所有する携帯型音楽プレーヤ７０に記録されおり、画像受付装置としてＫｉｏｓｋ端末７１を採用してもよい。すなわち、ユーザ１により供給される携帯型音楽プレーヤ７０に記録された複数の画像がＫｉｏｓｋ端末７１に入力されるものとしてもよい。
【００７５】
ここで、ユーザ１は画像と一緒にアートワークを携帯型音楽プレーヤ７０からＫｉｏｓｋ端末７１へ送信するようにしてもよい。また、数千もの楽曲に関するユーザ画像を携帯型音楽プレーヤ７０からＫｉｏｓｋ端末７１に送信するのには時間がかかるので、次のようにユーザ画像を絞り込むようにすることが好ましい。
【００７６】
例えば、画像の撮影日や、音楽データの再生日、録音日、発売日等をもとに携帯型音楽プレーヤ７０からＫｉｏｓｋ端末７１に送信する画像を絞り込むことができる。
【００７７】
また、例えば、画像の特徴をもとに絞り込むようにすることもできる。より具体的にはアートワークとの比較によって画像を絞り込むようにすることができる。なお、比較するアートワークは、携帯型音楽プレーヤ７０に記録されている画像が明るい画像中心であれば、明るいアートワークに絞り込むようにすることが望ましい。
【００７８】
また、例えば、携帯型音楽プレーヤ７０で最近再生した曲に関するアートワークを送信するようにしてもよい。すなわち、これにより、好みの音楽データに係るアートワークをＫｉｏｓｋ端末７１に送信して選択可能とすることができる。
【００７９】
さらに、図５に示すように、携帯型音楽プレーヤ７０にアートワークがない場合には、音楽ファイル情報をもとにインターネット（Ｎｅｔ）上で見つけたアートワークをインターネット（Ｎｅｔ）を通してＫｉｏｓｋ端末７１にダウンロードするようにしてもよい。
【００８０】
以下に、ユーザから供給される画像のアートワーク（サンプル画像）を利用した絞り込みについて説明する。ここでは、アートワークをもとに効率よく処理対象の候補の画像および処理対象の画像を選択できるようにしたい。
【００８１】
例えば、Ｋｉｏｓｋ端末７１に送信したアートワークを表示部に表示させて、その中から選択したアートワークをサンプル画像に採用する。そして、ユーザから入力されたユーザ画像のうちから、サンプル画像に類似する処理対象の候補となるユーザ画像を表示部に表示するようにしてもよい。
【００８２】
ここで、サンプル画像に用いるアートワークには、人物、風景、色、構図等を表す画像採用することができる。
【００８３】
また、例えば、アートワークは、通常の撮影画像とは異なり、極端な画像処理が施されている場合が多い。そこで、ユーザの撮影したユーザ画像の中から、画像処理の施されたアートワークに類似した特徴のある画像を見つけるようにしてもよい。
【００８４】
また、例えば、サンプル画像に用いるアートワークに類似した画像となるようにユーザ画像に画像処理を施したものを、処理対象の候補となるユーザ画像として表示部に表示するようにしてもよい。
【００８５】
より具体的には、４人の人物が表示されているアートワークに類似した画像となるように処理対象の候補となるユーザ画像に画像処理を施す場合には、処理対象の候補となる１つのユーザ画像中に５人以上の人物が含まれていても４人を切り出して表示したり、処理対象の候補となる複数のユーザ画像から４人の人物を切り出して合成して表示したりすることができる。また、枠内に人物がモノクロで表示されているアートワークと類似した画像となるように処理対象の候補となるユーザ画像に画像処理を施す場合には、ユーザ画像中から切り出した人物を枠内にモノクロで表示させることができる。また、赤系の色補正処理が施されて表示されているアートワークと類似した画像となるように処理対象の候補となるユーザ画像に画像処理を施す場合には、ユーザ画像中から切り出した人物に赤系の色補正処理を施して表示させることができる。
【００８６】
ここで、通常のユーザ画像をプリントするのであれば、赤系の色補正処理を施することは好ましくないかもしれない。本発明によれば、ユーザのお気に入りアートワークを選択し、これに類似したプリント用画像の作成をフォローすることができる。
【００８７】
さらに、図６のフローチャートに示すように、アートワークを利用した上記画像処理および画像のプリント作成を以下のように行うこともできる。
【００８８】
始めに、サンプル画像とするアートワークを選択する（Ｓｔｅｐ１）。次に、候補となるユーザ画像を表示させる（Ｓｔｅｐ２）。つづいて、候補となるユーザ画像からプリントを行うユーザ画像を選択する（Ｓｔｅｐ３）。そして、プリントを行う選択されたユーザ画像に対して画像処理を施す（Ｓｔｅｐ４）。
【００８９】
なお、Ｓｔｅｐ２の段階で、上記のようにユーザ画像に対して画像処理を実施してなる候補となるユーザ画像を表示することもできるが、表示部に表示させる候補となるユーザ画像の全てに画像処理を施すと時間がかかるので、ここでは、候補の中から選択されたユーザ画像に対して画像処理を施すようにする。
【００９０】
上記画像処理は、図７に示すように行われる。すなわち、サンプル画像として選択されたアートワーク（図７中符号Ｇａ）が枠内に１人の人物がモノクロで表示されているものとし、ユーザ画像（図７中符号Ｇｂ）も１人の人物が表示されているものとしたときには、画像処理が施されたユーザ画像（図７中符号Ｇｃ）は、ユーザ画像からアートワークと同じ構図を切り出してモノクロ処理したものとなる。
【００９１】
なお、上記のように、４人の人物が表示されているアートワークに類似した画像となるように処理対象の候補となるユーザ画像に画像処理を施す場合には、図８アートワーク（図８中符号Ｇｄ）に示すように、１画像中に４人が表示されている画像よりも、各画像に１人の人物が表示されている４枚の画像から１人づつ人物を切り出して合成した方が効果的である。このようにすれば、ユーザ自身では簡単には作れないプリント（印刷物）を作成することができる。
【００９２】
上記プリント（印刷物）を作成するステップを、図８のフローチャートに沿って説明する。
【００９３】
はじめに、サンプル画像としてアートワーク（４人の人物が表示されているアートワーク）を選択する（Ｓｔｅｐ１）。次に、候補となるユーザ画像を表示させる（Ｓｔｅｐ２）。つづいて、アートワークに応じた必要枚数（ここでは４枚）を表示させる（Ｓｔｅｐ３）。さらに、必要枚数（ここでは４枚）に応じたユーザ画像を選択する（Ｓｔｅｐ４）。ユーザ画像に画像処理を施して４人の人物が表示されているアートワークに類似した画像を作成し印刷する（ステップ５）。
【００９４】
なお、上記４人の人物が表示されたアートワークに対応した処理は、画像中に文字を含む態様にも応用することができる。
【００９５】
図９に示すように、サンプル画像として４人の人物と文字が表示されているアートワーク（図中符号Ｇｅ）を選択したときには、このアートワークの文字領域に対応して文字入れ領域が自動的に設定される。すなわち、文字入れ領域Ｒｆが設定された候補の画像（図中符号Ｇｆ）を表示させるようにしてもよい。この文字入れ領域Ｒｆに入力される文字のフォントや文字の色は、上記アートワークや他のアートワークから取得することができる。
【００９６】
さらに、アートワーク選択時にそのアートワークに対応する音楽を流してもよい。
【００９７】
以下に、複数枚プリントへの応用について説明する。
【００９８】
あるテーマについてユーザが選択した画像をランダムに配置してプリント（印刷）した、図１０に示すようなシャッフルプリントにも本発明の手法を応用することができる。
【００９９】
すなわち、図１１に示すように、表示部２０に表示させたサンプル画像の１つであるアートワークＧｈを選択し、このアートワークＧｈに類似した処理対象の候補となる複数の画像Ｇｉ（候補画像群）を表示させ、この表示された複数の画像Ｇｉ（候補画像群）およびアートワークＧｈを処理対象の画像として、上記と同様の形態のプリント（印刷物）、すなわちシャッフルプリントを作成するようにしてもよい。
【図面の簡単な説明】
【０１００】
【図１】本発明の画像受付装置のブロック図
【図２】候補の画像データを表す画像が表示された様子を示す図
【図３】画像受付装置の変形例を示すブロック図
【図４】候補の画像データを表す画像が表示された様子を示す図
【図５】携帯型音楽プレーヤからＫｉｏｓｋ端末へ画像を入力する様子を示す図
【図６】アートワークを利用した画像処理および画像プリント作成のフローチャートを示す図
【図７】ユーザ画像からアートワークと同じ構図を切り出してモノクロ処理する様子を示す図
【図８】４人が表示されているアートワークとその画像処理に係るフローチャートを示す図
【図９】文字が挿入されているアートワークと文字入れ領域が自動的に設定された画像を示す図
【図１０】シャッフルプリントを示す図
【図１１】本発明を応用してシャッフルプリントを作成する様子を示す図
【符号の説明】
【０１０１】
１０    第１の入力部
２０    表示部
３０    受付部
４０    第２の入力部
５０    抽出部
１００    画像受付装置
Ｇ    ユーザ画像
Ｓ    サンプル画像
Ｄｓ    サンプル画像を示す画像データ
Ｄｇ    ユーザ画像を示す画像データ
Ｎｔ    インターネット
【図１】
0005123020.tif 000002
【図３】
0005123020.tif 000003
【図５】
0005123020.tif 000004
【図６】
0005123020.tif 000005
【図７】
0005123020.tif 000006
【図８】
0005123020.tif 000007
【図９】
0005123020.tif 000008
【図１０】
0005123020.tif 000009
【図２】
0005123020.tif 000010
【図４】
0005123020.tif 000011
【図１１】
0005123020.tif 000012